【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
スイッチング電力変換装置であって、
スイッチと、
前記スイッチに接続されたエネルギー伝達素子と、
前記スイッチに接続されて当該スイッチング電力変換装置の出力を調節するコントローラーと、
を備え、
前記コントローラーが、
前記スイッチのスイッチ電流を検出したことに応答して、比信号を生成するように接続された限界対谷比回路であって、
前記比信号が、前記スイッチ電流がスイッチ電流限界以上である第１の時間長と、前記スイッチ電流が前記スイッチ電流限界のある割合であるスイッチ電流の谷以下である第２の時間長と、の間の時間比を表す、
当該限界対谷比回路と、
前記比信号を受信したことに応答して、スイッチオン期間信号を変化させるように接続されたオン期間生成器と、
前記スイッチオン期間信号を受信したことに応答して、前記スイッチの制御端子にドライブ信号を出力するように接続された駆動回路と、
を含む、
スイッチング電力変換装置。
【請求項２】
前記限界対谷比回路が、
前記スイッチ電流が前記スイッチ電流限界以上であるときに限界信号を出力するように接続された限界比較器と、
前記スイッチ電流が前記スイッチ電流の谷以下であるときに谷信号を出力するように接続された谷比較器と、
前記谷信号に応答して、カウンターのカウントをインクリメントすることと、前記限界信号に応答して、前記カウントをデクリメントすることと、を行うように接続された当該カウンターであって、
当該カウンターが、前記比信号として前記カウントの最上位ビット（ＭＳＢ）を出力する、
当該カウンターと、
を備える、請求項１のスイッチング電力変換装置。
【請求項３】
前記カウントの前記インクリメントと前記デクリメントとが、クロック信号により制御され、
前記谷比較器により前記谷信号が出力されるとき、前記クロック信号の周波数が第１の周波数であり、
前記限界比較器により前記限界信号が出力されるとき、前記クロック信号の周波数が第２の周波数である、
請求項２のスイッチング電力変換装置。
【請求項４】
前記クロック信号の前記第２の周波数に対する前記クロック信号の前記第１の周波数の周波数比が、前記周波数比に向けて前記時間比を駆動する、
請求項３のスイッチング電力変換装置。
【請求項５】
前記駆動回路が、さらに、前記スイッチ電流を検出したことに応答して、前記ドライブ信号を生成するように接続されている、
請求項１のスイッチング電力変換装置。
【請求項６】
前記駆動回路が、前記エネルギー伝達素子に蓄積されたエネルギーを検出するように接続されており、
前記駆動回路は、前記エネルギー伝達素子における前記エネルギーがゼロに達したときにのみ前記ドライブ信号によって前記スイッチが有効化される臨界導通モードで動作するように構成されている、
請求項１のスイッチング電力変換装置。
【請求項７】
前記駆動回路が、
ラッチと、
前記エネルギー伝達素子を通る電流を検出するように接続されたオン期間トリガと、
を含み、
前記オン期間トリガは、前記エネルギー伝達素子を通る前記電流がゼロに達したときに前記ラッチをセットするように接続されており、
前記ドライブ信号が、前記ラッチの出力である、
請求項６のスイッチング電力変換装置。
【請求項８】
前記オン期間生成器が、前記比信号を受信したことに応答して、参照表の状態を増加または減少するように接続された当該参照表を含み、
前記オン期間生成器が、前記参照表の前記状態に応答して、アナログ値を出力する、
請求項１のスイッチング電力変換装置。
【請求項９】
前記参照表の前記状態が、以前の状態に対応する以前のアナログ値と前記以前のアナログ値の所定割合との合計に対応する、
請求項８のスイッチング電力変換装置。
【請求項１０】
前記駆動回路が、前記ドライブ信号を出力するように接続されたラッチを含み、
前記駆動回路は、（１）前記スイッチ電流が前記スイッチ電流限界に達したことと、（２）前記スイッチオン期間信号がオン期間閾値に達したことと、の少なくとも１つに応答して、前記ラッチをリセットするように構成されている、
請求項１のスイッチング電力変換装置。
【請求項１１】
スイッチング電力変換装置の出力を調節する前記スイッチング電力変換装置のスイッチのスイッチ電流を検出したことに応答して、比信号を生成するように接続された限界対谷比回路であって、
前記比信号は、前記スイッチ電流がスイッチ電流限界以上である第１の時間長と、前記スイッチ電流が前記スイッチ電流限界のある割合であるスイッチ電流の谷以下である第２の時間長と、の間の時間比を表す、
当該限界対谷比回路と、
前記比信号を受信したことに応答して、スイッチオン期間信号を変化させるように接続されたオン期間生成器と、
前記スイッチオン期間信号を受信したことに応答して、前記スイッチの制御端子にドライブ信号を出力するように接続された駆動回路と、
を備えるスイッチング電力変換装置用のコントローラー。
【請求項１２】
前記限界対谷比回路が、
前記スイッチ電流が前記スイッチ電流限界以上であるときに限界信号を出力するように接続された限界比較器と、
前記スイッチ電流が前記スイッチ電流の谷以下であるときに谷信号を出力するように接続された谷比較器と、
前記谷信号に応答して、カウンターのカウントをインクリメントすることと、前記限界信号に応答して、前記カウントをデクリメントすることと、を行うように接続された当該カウンターであって、
当該カウンターが、前記比信号として前記カウントの最上位ビット（ＭＳＢ）を出力する、
当該カウンターと、
を備える、請求項１１のコントローラー。
【請求項１３】
前記カウントの前記インクリメントと前記デクリメントとが、クロック信号により制御され、
前記谷比較器により前記谷信号が出力されるとき前記クロック信号の周波数が第１の周波数であり、
前記限界比較器により前記限界信号が出力されるとき前記クロック信号の周波数が第２の周波数である、
請求項１２のコントローラー。
【請求項１４】
前記クロック信号の前記第２の周波数に対する前記クロック信号の前記第１の周波数の周波数比が、前記周波数比に向けて時間比を駆動する、
請求項１３のコントローラー。
【請求項１５】
前記駆動回路が、さらに、前記スイッチ電流を検出したことに応答して、前記ドライブ信号を生成するように接続されている、
請求項１１のコントローラー。
【請求項１６】
前記駆動回路が、前記スイッチング電力変換装置のエネルギー伝達素子に蓄積されたエネルギーを検出するように接続されており、
前記駆動回路は、前記エネルギー伝達素子における前記エネルギーがゼロに達したときにのみ前記ドライブ信号によって前記スイッチが有効化される臨界導通モードで動作するように構成されている、
請求項１１のコントローラー。
【請求項１７】
前記駆動回路が、
ラッチと、
前記エネルギー伝達素子を通る電流を検出するように接続されたオン期間トリガと、
を含み、
当該オン期間トリガは、前記エネルギー伝達素子を通る前記電流がゼロに達したときに前記ラッチをセットするように接続されており、
前記ドライブ信号が、前記ラッチの出力である、
請求項１６のコントローラー。
【請求項１８】
前記オン期間生成器が、前記比信号を受信したことに応答して、参照表の状態を増加または減少させるように接続された前記参照表を含み、
前記オン期間生成器が、前記参照表の状態に応答して、アナログ値を出力する、
請求項１１のコントローラー。
【請求項１９】
前記状態の前記アナログ値が、以前の状態の以前のアナログ値と前記以前のアナログ値の所定割合との合計である、
請求項１８のコントローラー。
【請求項２０】
前記駆動回路が、前記ドライブ信号を出力するように接続されたラッチを含み、
前記駆動回路は、（１）前記スイッチ電流が前記スイッチ電流限界に達したことと、（２）前記スイッチオン期間信号がオン期間閾値に達したことと、の少なくとも１つに応答して、前記ラッチをリセットするように構成されている、
請求項１１のコントローラー。